(57)【要約】  【課題】レンズカバーに開閉可能な遮光物を配置させることにより、保護機能及び遮光機能を得る遮光機能を有するレンズカバーを提供する。  【解決手段】遮光機能を有するレンズカバーは、主環１０、多数の遮光物及び少なくとも１つのスイッチ２０を備える。遮光物は、主環１０に設けられて固定された少なくとも１つの遮光部１１と、主環１０に接続され、外側に起こして開かれ、力が加えられると内側に閉じて主環１０の中空部を覆う１組の遮光部材３０，３１とを有する。スイッチ２０は、主環１０上に配置され、遮光部材３０，３１を内側に閉じた状態に維持する。主環１０は、アダプタリングに結合される。アダプタリングは、レンズの外部に接続され、内側に閉じた遮光部材３０，３１によりレンズ面を覆い、スイッチをオンすると遮光部材３０，３１が外側に起きて開く。【選択図】図１
0003171382.tif 000002
【実用新案登録請求の範囲】
【請求項１】
主環、多数の遮光物及び少なくとも１つのスイッチを備える遮光機能を有するレンズカバーであって、
前記遮光物は、前記主環に設けられて固定された少なくとも１つの遮光部と、前記主環に接続され、外側に起こして開かれ、力が加えられると内側に閉じて前記主環の中空部を覆う１組の遮光部材と、を有し、
前記スイッチは、前記主環上に配置され、前記遮光部材を内側に閉じた状態に維持することを特徴とする遮光機能を有するレンズカバー。
【請求項２】
前記主環は、アダプタリングに結合され、
前記アダプタリングは、レンズの外部に接続され、内側に閉じた前記遮光部材によりレンズ面を覆い、前記スイッチをオンすると前記遮光部材が外側に起きて開くことを特徴とする請求項１に記載の遮光機能を有するレンズカバー。
【請求項３】
前記遮光部材は、連結装置を介して前記主環に接続され、前記連結装置により外側に起こして開かれることを特徴とする請求項１又は２に記載の遮光機能を有するレンズカバー。
【請求項４】
前記連結装置は、
前記主環に対して揺動可能な前記遮光部材を支持する軸と、
前記軸に外嵌し、前記主環によりブロックされるため、トーションバネにより回転されることがない第１のピンと、前記遮光部材の内側に閉じる動作に従って前記軸の周りで変位する第２のピンと、を有する前記トーションバネと、を有することを特徴とする請求項３に記載の遮光機能を有するレンズカバー。
【請求項５】
前記連結装置は、
一方の端部を挿入し、前記軸の端部を貫設して前記軸を密着させる凹溝を有する軸スリーブと、
前記軸スリーブの他方の端部に突設され、前記遮光部材に凹設された従動溝に挿入される扁平軸部と、
前記軸スリーブの外表面に突設され、前記トーションバネの前記第２のピンが当接されるバンプと、を有することを特徴とする請求項４に記載の遮光機能を有するレンズカバー。
【請求項６】
前記連結装置は、前記軸に外嵌され、前記軸スリーブの組み合わせにより前記トーションバネが前記軸から外れることを防ぐワッシャを有することを特徴とする請求項５に記載の遮光機能を有するレンズカバー。
【請求項７】
前記軸は、ヘッド部を有し、
前記ヘッド部は、直径が軸より大きく、詰め物中に挿入可能であり、前記トーションバネに当接された前記ワッシャを支持し、
前記詰め物は、前記主環から露出され、前記遮光部材に凹設された円状溝中に挿設されることを特徴とする請求項６に記載の遮光機能を有するレンズカバー。
【請求項８】
前記スイッチは、内側に閉じた状態の前記遮光部材が外側に起こされて開かれることがないようにするストッパ部を有するとともに、前記主環に枢着された押ボタンと、
前記押しボタンと前記主環との間に配置され、前記押ボタンに弾性力を与えるバネと、を有することを特徴とする請求項３に記載の遮光機能を有するレンズカバー。
【請求項９】
前記スイッチは、１組の枢着耳と、前記遮光部材が外側に起こされて開くことを防ぐストッパ部と、を有する押ボタンと、
前記枢着耳に貫設され、前記主環の凹部の周壁面中に挿入された棒と、
前記棒に外嵌し、前記凹部の壁面及び前記押ボタンにそれぞれ当接された２つのピンを有し、前記押ボタンに弾性力を与え、前記ストッパ部を貫通孔の奥深くに入った状態に保持し続けるトーションバネと、を有することを特徴とする請求項３に記載の遮光機能を有するレンズカバー。
【考案の詳細な説明】
【技術分野】
【０００１】
本考案は、レンズを保護する技術に関し、特に、遮光機能を有するレンズカバーに関する。
【背景技術】
【０００２】
レンズは、プロジェクタ、書画カメラなどの撮像装置にとって重要な部品であり、画像の精細度に悪影響を与えないように、損壊したり汚れたりしないようにレンズを保護する必要がある。
【０００３】
既知の保護手段としては、レンズ面が傷ついたり損壊したり塵がついたりすることを防ぐために、レンズにレンズカバーを取り付けて覆う方式がある。このようなレンズカバーの構造としては、例えば特許文献１において、レンズの前方を単純に覆い、撮影したり再生したりするときに、レンズカバーを手で取り外してポケットに入れたり、レンズカバーに紐を結びつけて撮像装置に吊り下げたりする方式が開示されている。
【０００４】
しかし、上述の方式はレンズカバーを取り忘れることがあるため、撮影したり再生したりする動作をスムーズに行うことができなくなることがあり、それを防ぐために、自動的に開閉を行うレンズカバーが開発されている。例えば、特許文献２では、オートフォーカス機能を有するカメラが開示されている。このカメラは、ケーシングに２、３枚のバリアが枢着され、各バリアにそれぞれ対応したバネが接続され、カメラから延伸されたレンズの周枠にバネが接触すると、プレートが外側に起きて開かれる。これらのプレートは、レンズの外側に周設されており、ケーシングにレンズを収容する際は、弾性力を利用してレンズ面の外側を再び覆う。
【０００５】
レンズカバーは、手動式又は自動式に係わらず、単純な遮蔽効果しか備えておらず、結像効果を向上させるには、水滴又は不必要な光線を遮ったり、スミアの発生、精細度の低下などの悪影響が発生することを防いだりすることができるように、遮光カバーを取り付ける必要がある。しかし、レンズカバー又は遮光カバーを携帯すると、ユーザの負担が増える虞がある。
【０００６】
そのため、保護機能及び遮光機能を備えたレンズカバーが求められていた。
【先行技術文献】
【特許文献】
【０００７】
【特許文献１】米国特許第７７７５６７１号明細書
【特許文献２】特開２００９−２５８６００号公報
【考案の概要】
【考案が解決しようとする課題】
【０００８】
本考案は、レンズカバーに開閉可能な遮光物を配置させることにより、保護機能及び遮光機能を得る遮光機能を有するレンズカバーを提供することを課題とする。
【課題を解決するための手段】
【０００９】
上記課題を解決するために、本考案の第１の形態によれば、主環、多数の遮光物及び少なくとも１つのスイッチを備える遮光機能を有するレンズカバーであって、前記遮光物は、前記主環に設けられて固定された少なくとも１つの遮光部と、前記主環に接続され、外側に起こして開かれ、力が加えられると内側に閉じて前記主環の中空部を覆う１組の遮光部材と、を有し、前記スイッチは、前記主環上に配置され、前記遮光部材を内側に閉じた状態に維持することを特徴とする遮光機能を有するレンズカバーが提供される。
【００１０】
前記主環は、アダプタリングに結合され、前記アダプタリングは、レンズの外部に接続され、内側に閉じた前記遮光部材によりレンズ面を覆い、前記スイッチをオンすると前記遮光部材が外側に起きて開くことが好ましい。
【００１１】
前記遮光部材は、連結装置を介して前記主環に接続され、前記連結装置により外側に起こして開かれることが好ましい。
【００１２】
前記連結装置は、前記主環に対して揺動可能な前記遮光部材を支持する軸と、前記軸に外嵌し、前記主環によりブロックされるため、トーションバネにより回転されることがない第１のピンと、前記遮光部材の内側に閉じる動作に従って前記軸の周りで変位する第２のピンと、を有する前記トーションバネと、を有することが好ましい。
【００１３】
前記連結装置は、一方の端部を挿入し、前記軸の端部を貫設して前記軸を密着させる凹溝を有する軸スリーブと、前記軸スリーブの他方の端部に突設され、前記遮光部材に凹設された従動溝に挿入される扁平軸部と、前記軸スリーブの外表面に突設され、前記トーションバネの前記第２のピンが当接されるバンプと、を有することが好ましい。
【００１４】
前記連結装置は、前記軸に外嵌され、前記軸スリーブの組み合わせにより前記トーションバネが前記軸から外れることを防ぐワッシャを有することが好ましい。
【００１５】
前記軸は、ヘッド部を有し、前記ヘッド部は、直径が軸より大きく、詰め物中に挿入可能であり、前記トーションバネに当接された前記ワッシャを支持し、前記詰め物は、前記主環から露出され、前記遮光部材に凹設された円状溝中に挿設されることが好ましい。
【００１６】
前記スイッチは、内側に閉じた状態の前記遮光部材が外側に起こされて開かれることがないようにするストッパ部を有するとともに、前記主環に枢着された押ボタンと、前記押しボタンと前記主環との間に配置され、前記押ボタンに弾性力を与えるバネと、を有することが好ましい。
【００１７】
前記スイッチは、１組の枢着耳と、前記遮光部材が外側に起こされて開くことを防ぐストッパ部と、を有する押ボタンと、前記枢着耳に貫設され、前記主環の凹部の周壁面中に挿入された棒と、前記棒に外嵌し、前記凹部の壁面及び前記押ボタンにそれぞれ当接された２つのピンを有し、前記押ボタンに弾性力を与え、前記ストッパ部を貫通孔の奥深くに入った状態に保持し続けるトーションバネと、を有することが好ましい。
【考案の効果】
【００１８】
本考案の遮光機能を有するレンズカバーは、レンズカバーに開閉可能な遮光物を配置させることにより、保護機能及び遮光機能を得ることができる。
【図面の簡単な説明】
【００１９】
【図１】本考案の一実施形態によるレンズカバーを示す分解斜視図である。
【図２】本考案の一実施形態によるレンズカバーの連結装置を組み立てたときの状態を示す断面図である。
【図３】本考案の一実施形態によるレンズカバーの連結装置により、主環に遮光部材が枢着されたときの状態を示す斜視図である。
【図４】本実施形態の連結装置と遮光部材との動作の関連性を示す断面図である。
【図５】本実施形態の連結装置と遮光部材との動作の関連性を示す断面図である。
【図６】本実施形態の主環にアダプタリングを連結させるときの状態を示す分解斜視図である。
【図７】本実施形態の主環にアダプタリングを連結させたときの状態を示す斜視図である。
【図８】アダプタリングを介し、レンズに主環を取り付けたときの状態を示す斜視図である。
【図９】開閉動作を示す断面図である。
【図１０】開閉動作を示す断面図である。
【図１１】開閉動作を示すもう一つの断面図である。
【考案を実施するための形態】
【００２０】
以下、本考案の遮光機能を有するレンズカバーの実施形態について、図面を参照しながら説明する。
【００２１】
図１を参照する。図１に示すように、本考案の一実施形態による遮光機能を有するレンズカバーの中空の主環１０には、２つのスイッチ２０と、遮光物とが配置されている。遮光物は、主環１０の周縁部に突設されて固定された１対の遮光部１１と、第１の遮光部材３０と、第２の遮光部材３１と、を含む。各遮光部材３０，３１は、常態下で外側に起こして開かれた主環１０に接続され、スイッチ２０により内側に閉じた状態に維持した場合、主環１０の中空を覆うことができる。
【００２２】
主環１０には、互いに対向した関係の２つの貫通孔１３が、主環１０の内側面から凹部１２に穿設され、凹部１２にスイッチ２０が収納されている。主環１０は、正面に設けられた遮光部１１を有し、２つのプレートのような補強部１４が背面に形成され、補強部１４と主環１０の内側面との間にそれぞれ凸部１５が設けられ、各遮光部材３０，３１に突設された２つの枢着部３２中に凹凸係合される。
【００２３】
図１に示すように、２つの凸部１５に設けられた中空の収納室１６は、補強部１４に設けられた開口１７を介して外部に連通し、開口１７を介して収納室１６中に連結装置４０を挿通し、壁面の非円形孔１８及び円孔１９に凸部１５を貫設させると、対応した枢着部３２中に連結装置４０の両端をそれぞれ挿通させることができる。もう一方の凸部１５は、収納室１６と類似した構造を有し、非円形孔１８と円孔１９とが反対方向に設けられているため、連結装置４０を反対方向で凸部１５中に取り付けることができる。
【００２４】
これら連結装置４０の構造は、それぞれ全く同じであるため、以下では１つの装置だけで詳説する。
【００２５】
図２を参照する。図２に示すように、本考案の一実施形態による遮光機能を有するレンズカバーの連結装置４０は、軸４１、詰め物４３、ワッシャ４５、トーションバネ５０及び軸スリーブを有する。軸４１は、詰め物４３の中心孔４４中へ挿通させることが可能な、軸４１より大きな直径を有するヘッド部４２が一方の端部に形成され、ワッシャ４５及びトーションバネ５０に他方の端部を貫設し、軸スリーブ５３の端面に凹設された凹溝５４に挿入して密着させる。
【００２６】
図３を参照する。図３に示すように、詰め物４３には、凸部１５の壁面に当接させて支持する階段部４６が周設され、ワッシャ４５をトーションバネ５０に当接させるとともに、円孔１９の詰め物４３を部分的に露出させ、枢着部３２に対応した円状溝３３内に挿入させる。軸スリーブ５３は、トーションバネ５０を押圧し、詰め物４３の深い箇所に軸４１を挿入させてから、トーションバネ５０の弾性力を利用し、凸部１５の非円形孔１８に通過させ、軸スリーブ５３の端面に突設された扁平軸部５５を、枢着部３２に対応した従動溝３４中に挿通させる。扁平軸部５５と従動溝３４との形状が同じであるため、軸スリーブ５３と第１の遮光部材３０とが連動しあう。トーションバネ５０は、一方の端部が収納室１６の壁面に接触され、軸スリーブ５３の外表面に突出されたバンプ５６に接触可能なように他方の端部が曲げられて第２のピン５２が形成されている。
【００２７】
図４を参照する。図４に示すように、第１の遮光部材３０が力を受けて閉じると、軸スリーブ５３が連動して同じ方向に回転し、バンプ５６により第２のピン５２を押し動かして円周運動を行う。第１のピン５１は、収納室１６の壁面に当接されるため、トーションバネ５０の回転に伴って回転することがない。そのため、第２のピン５２が軸の周囲で移動し、トーションバネ５０の復位に必要な蓄勢がなされる。
【００２８】
図５を参照する。図５に示すように、第１の遮光部材３０に力が加えられなくなると、弾性力により第２のピン５２がバンプ５６を押し動かし、軸スリーブ５３により第１の遮光部材３０を同期で回転させ、外側に起こして開いた状態に回復させる。
【００２９】
上述の主環１０は、他の構成要素と組み合わせて使用してもよい。例えば、図６〜図８に示すアダプタリング６０は、主環１０の平坦な背面に高周波溶着される。このアダプタリング６０には、２つのスライド６１が配置され、レンズ６２の外部に接続されているため、２つの遮光部材３０，３１を内側に閉じてレンズ正面を隠すように覆うことができる。この際、スイッチ２０を利用することにより、常態下で内側に閉じた状態の遮光部材３０，３１は、スイッチ２０をオンすると外側に起きて開いた状態となる。
【００３０】
ここで、スイッチ２０の構造には様々な態様があるが、本実施形態ではそのうちの一態様だけを例示して説明を行う。図９及び図１０を参照する。図９及び図１０に示すように、スイッチ２０は、少なくとも押ボタン２１及びバネ２３から構成される。押ボタン２１を凹部１２中に配置し、主環１０に枢着させてシーソーのような動きを可能にし、押ボタン２１と凹部１２とに形成された段差により、Ｖ字状のバネ２３を設置し、押ボタン２１の前端部に設けられたフック状のストッパ部２２を支持し、貫通孔１３を介して主環１０の内側面に入れ、互いに重ねられた２つの遮光部材３０，３１が起こされて開くことを防ぐ。押ボタン２１の末端部を押すと、バネ２３が押圧されて蓄勢されるとともにストッパ部２２が開放され、遮光部材３０，３１が外側に開かれる。
【００３１】
図１１を参照する。図１１に示すように、本考案の他の実施形態による遮光機能を有するレンズカバーは、押ボタン７１の底面にチャンバ７３が凹設され、このチャンバ７３は、押ボタン７１の末端部から前端部のストッパ部７２にかけて中空の収納空間が設けられ、チャンバ７３の両壁面のそれぞれに枢着耳７４が突設され、凹部１２の周壁面に挿入された棒７５が１本貫設されている。棒７５上には、トーションバネ７６が配置されている。このトーションバネ７６は、凹部１２と押ボタン７１とにそれぞれ当接された２つのピン７７を有し、ストッパ部７２を貫通孔１３へ奥深く挿入させた状態に維持することができる。
【００３２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３３】
１０  主環
１１  遮光部
１２  凹部
１３  貫通孔
１４  補強部
１５  凸部
１６  収納室
１７  開口
１８  非円形孔
１９  円孔
２０  スイッチ
２１  押ボタン
２２  ストッパ部
２３  バネ
３０  第１の遮光部材
３１  第２の遮光部材
３２  枢着部
３３  円状溝
３４  従動溝
４０  連結装置
４１  軸
４２  ヘッド部
４３  詰め物
４４  中心孔
４５  ワッシャ
４６  階段部
５０  トーションバネ
５１  第１のピン
５２  第２のピン
５３  軸スリーブ
５４  凹溝
５５  扁平軸部
５６  バンプ
６０  アダプタリング
６１  スライド
６２  レンズ
７０  スイッチ
７１  押ボタン
７２  ストッパ部
７３  チャンバ
７４  枢着耳
７５  棒
７６  トーションバネ
７７  ピン
【図１】
0003171382.tif 000003
【図２】
0003171382.tif 000004
【図３】
0003171382.tif 000005
【図４】
0003171382.tif 000006
【図５】
0003171382.tif 000007
【図６】
0003171382.tif 000008
【図７】
0003171382.tif 000009
【図８】
0003171382.tif 000010
【図９】
0003171382.tif 000011
【図１０】
0003171382.tif 000012
【図１１】
0003171382.tif 000013